(57)【特許請求の範囲】
【請求項１】
複数のセレクトスイッチ線と、前記セレクトスイッチ線と交差する複数の信号線の各交差部近傍に形成した画素を備えた表示領域と、前記セレクトスイッチ線にセレクト信号を印加する表示用走査回路と、前記信号線に表示信号を供給する信号駆動回路と、前記複数の画素のそれぞれに前記信号駆動回路からの表示信号に応じた輝度で発光させるための電流を供給する電源線と、該電源線に電流を供給する電源回路と、前記セレクトスイッチ線と平行な方向に設けて前記画素の電圧値を検出するための検出制御線と、前記検出制御線に走査信号を印加する検出用走査回路を有する表示部と、
複数の定電流値を出力する電流源と、前記電流源の前記複数の定電流値のうちの一つを選択する検知部切換手段と、前記信号駆動回路に接続して前記信号線に供給する表示信号を補正する信号補正制御部を有する検知部を備え、
前記表示部に、前記信号線に対して前記信号駆動回路と前記検知部切換手段を択一的に選択する表示部切換手段を有し、
前記画素には自発光素子を備え、
表示モードにおいては、前記表示部切換手段が前記信号駆動回路を選択して前記信号線に前記表示信号が供給され、
検知モードにおいては、前記表示部切換手段が前記検知部切換手段を選択し、前記走査信号が印加された前記検出制御線に対応した前記自発光素子に発生した電圧値に従って、前記表示信号を補正するための値を前記信号補正制御部が生成し、さらに前記自発光素子に発生した電圧値に従って前記検知部切換手段により前記電流源の前記複数の定電流値のうちの一つが選択されることを特徴とする表示装置。
【請求項２】
請求項１において、
前記複数の定電流値を出力する電流源は電流値が異なる高圧側電流源と低圧側電流源で構成され、
前記検知部切換手段は、前記高圧側電流源と低圧側電流源を前記信号線に択一的に接続する切り換えスイッチで構成され、
前記検知モードにおいて、前記高圧側電流源からの電流を前記信号線に供給した時に、前記走査信号が印加された前記検出制御線に対応した前記自発光素子に発生した電圧値が所定値以上である場合に、前記検知部切換手段の前記切り換えスイッチが前記低圧側電流源に切り換えられることを特徴とする表示装置。
【請求項３】
請求項１において、
前記複数の定電流値を出力する電流源は異なる抵抗値をもつ第１と第２の外付抵抗素子を備えたバンドギャップ型定電流源で構成され、
前記検知部切換手段は、前記第１と第２の外付抵抗素子と前記バンドギャップ型定電流源の間にそれぞれ挿入されて、前記バンドギャップ型定電流源の出力を択一的に選択する切り換えスイッチで構成したことを特徴とする表示装置。
【請求項４】
請求項１において、
前記検知部は、前記走査信号が印加された前記検出制御線に対応した前記自発光素子の電圧値を受けるバッファと、前記バッファからの出力をAD変換して前記信号補正制御部が前記表示信号を補正するための値を生成するためおよび、前記検知部切換手段により前記電流源の前記複数の定電流値のうちの一つを選択するためのデジタル値を生成するAD変換部とを有することを特徴とする表示装置。
【発明の詳細な説明】
【技術分野】
【０００１】
本発明は、表示装置に係り、特に周囲温度の変化に対応する発光素子の駆動電圧範囲を抑制して低電力化を図った表示装置に関する。
【背景技術】
【０００２】
画素を有機ＥＬ素子（ＯＬＥＤ：Organic Light Emitting Diode、ＯＬＥＤ素子とも称する）などの発光素子で構成した自発光型の表示装置が実用化段階にある。自発光型の表示素子を用いた画像表示装置は視認性が高く、液晶表示装置のバックライトのような補助照明装置を要せず、応答速度が速いという特徴を有する。電流駆動の自発光型の表示素子の典型である有機ＥＬ素子を用いた有機ＥＬ表示パネルは、環境温度によって有機ＥＬ素子の発光輝度が変化する。また、経時事変化によっても個々の有機ＥＬ素子の発光輝度が変化し、これが表示領域の面内輝度ばらつきをもたらす。
【０００３】
図１６は、従来の温度補正システムを搭載した表示装置を構成する有機ＥＬ表示パネルの第１の構成例を説明する回路図である。また、図１７は、図１６に示した従来の有機ＥＬ表示パネルの検出動作点の説明図である。図１７において、横軸は有機ＥＬ素子のアノード電圧（Ｖ）、縦軸は有機ＥＬ素子に流れる電流密度（ｍＡ／ｃｍ2）である。図１６において、表示装置は表示部１００と検知部２００を有する。表示部１００の表示領域１５には、複数の画素１０がマトリクス配列されている。各画素１０は、信号線１１とセレクトスイッチ線（走査線）１２の交差部分に形成される。また、各画素１０には、セレクトスイッチ線１２に接続する画素に対して共通に敷設された点灯スイッチ線１３、および共通の信号線１１に接続する画素に共通に接続する電源線１４も設置されている。
【０００４】
信号線１１は信号線駆動回路１６に接続し、表示用走査回路１７に接続するセレクトスイッチ線１２と点灯スイッチ線１３で選択された画素に表示信号を供給する。電源線１４は選択された画素に電源回路１８から点灯電流を画素１０に供給して表示信号に応じた輝度で画素１０を点灯する。信号線駆動回路１６と表示用走査回路１７には、ホストコンピュータ等の図示しない信号源から表示信号とタイミング信号２９が入力する。
【０００５】
電源回路１８には、電流源４１、環境温度を検知するモニター素子２０、バッファアンプ２１、アナログ・デジタル・コンバータ（ＡＤ変換器：ＡＤＣ）２２、電源制御部２８とで構成される検知部２００が設けられており、モニター素子２０が検出した環境温度に基づくＡＤＣ２２の出力に応じて電源制御部２８が電源回路１８を制御するように構成されている。ここでは、モニター素子２０に有機ＥＬ素子を用いている。
【０００６】
図１６のように構成された有機ＥＬ表示パネルにおいて、モニター素子２０には、電流源４１から電流Ｉ１を流している。この時、モニター素子２０である有機ＥＬ素子のアノードの電圧は、図１７に示すように、環境温度が定められた温度異常である場合は高温域として電圧Ｖ１に、それよりも低温の場合は電圧Ｖ１’となるように設定されている。このＶ１やＶ１’といった電圧は、バッファアンプ２１を通じて、ＡＤ変換器２２に入力され、デジタル値に変換される。電源制御部２８は、このデジタル値が小さければ、システムは高温息にあると判断し、電源回路の電源電圧を下げるような制御を行う。また、このデジタル値が大きければ、低温域にあると判断し、電源電圧を上げるような制御を行う。なお、モニター素子２０を表示領域に設ける画素１０と同じ素子を用いることで、経時変化に起因した輝度劣化や輝度のばらつきを補正することもできる。
【０００７】
図１８は、従来の温度補正システムを搭載した表示装置を構成する有機ＥＬ表示パネルの第２の構成例を説明する回路図である。また、図１９は、図１８に示した従来の有機ＥＬ表示パネルの検出動作の説明図である。図１８において、図１６と異なる部分を説明し、共通部分の説明は重複するので説明は省略する。図１６のセレクトスイッチ線１２および点灯スイッチ線１３と平行に検出制御線３３が配置されている。検出制御線３３は、セレクトスイッチ線１２に共通に接続されている各画素の電流値を検出し、これを検出用走査回路３２に出力する。
【０００８】
検出用走査回路３２が個々の画素を構成する有機ＥＬ素子のそれぞれの電流値を検出して表示領域内での輝度のばらつきを検出し、これを補正するため、電流源３１、バッファアンプ２１、ＡＤ変換器２２、信号補正制御部３４からなる検知部を設けている。そして、信号駆動回路１６と各信号線１１との間をオン・オフするスイッチＳＷＡ（１−n）と、各信号線１１と電流源３１の間をオン・オフするスイッチＳＷＢ（１−n）とからなる切換スイッチ４３を設ける。切換スイッチ４３は、一方がオンのときは他方がオフ、またその逆となるごとく動作する。
【０００９】
通常の表示モードでは、切換スイッチ４３のスイッチＳＷＡ（１−ｎ）がオンになっており、スイッチＳＷＢ（１−ｎ）はオフである。この状態で表示用走査回路１７により選択されたセレクトスイッチ線１２につながる画素に信号線１１を通して信号駆動回路１６から供給され、点灯スイッチ線１３の点灯信号で表示信号の値に応じた輝度で画素が発光し、所要の二次元画像を表示する。
【００１０】
一方、検出モードでは、切換スイッチ４３のスイッチＳＷＢ（１−ｎ）側がオンになり、スイッチＳＷＡ（１−ｎ）がオフとなる。この検出モードへの切り換えは、画像表示装置の主電源投入時あるいは遮断時、帰線期間、あるいはマニュアルでの操作の何れかでよい。
【００１１】
検出モードになると、電流源３１から電流Ｉ３を画素側の信号線１１を通して画素の有機ＥＬ素子に流し、特性をモニターする。この時、有機ＥＬ素子のアノードの電圧は、図１９に示すように、劣化前でＶ３、劣化後ではＶ３’のようになる。この電圧Ｖ３や電圧Ｖ３’といった電圧は、バッファアンプを通じて、ＡＤ変換器（ＡＤＣ）２２に入力されてデジタル値に変更される。このデジタル値が所定値以下であれば、有機ＥＬ素子は劣化していないと判断し、特に輝度調整の制御は行われない。しかし、このデジタル値が所定値より大きければ、有機ＥＬ素子は劣化していると判断し、信号補正制御部３４は表示信号に補正をかけるような制御信号を信号駆動回路１６に与える。
【００１２】
各画素は検出用走査回路３２の走査と信号駆動回路１６の信号タイミングで、その電流値が個々に検出されて信号補正制御部３４において判定される。これにより、有機ＥＬ素子が経時劣化した場合においても、一定の輝度を確保してばらつきのない高品質の画像表示を実現している。
【００１３】
このようなシステム構成により、環境温度変動が大きい場合においても、安定した輝度制御を実現している。このような従来技術を開示したものとしては、特許文献１を挙げることができる。
【先行技術文献】
【特許文献】
【００１４】
【特許文献１】特開２００６−４８０１１号公報
【発明の開示】
【発明が解決しようとする課題】
【００１５】
有機ＥＬ素子では、その発光輝度が電流値に依存する。上記したような従来の温度補正制御システムでは、バッファアンプやＡＤ変換器の消費電力が大きい。すなわち、有機ＥＬ素子の温度係数が数十ｍＶ／度と大きいため、温度変化に対応した輝度を得るための電流を確保するための電圧もまた大きく変化し、図１７に示すようなＶ１'とＶ１の電圧差が大きい。この電圧差が大きいと図１６のバッファアンプやＡＤ変換器に必要な電圧レンジが大きくなるため、低電源電圧で動作せず、バッファアンプやＡＤ変換器で消費する電力が大きくなる。
【００１６】
特許文献１では、定電流駆動するモニター素子を設け、モニター素子に印加される電圧を検出し、その電圧を発光素子に印加することによって、環境温度の変化と経時変化に起因した輝度ばらつきを抑制するように構成している。しかし、有機ＥＬ素子の環境温度や経時変化による特性変動が大きいため、検出される電圧範囲が広い。したがって、検出された電圧をバッファリングするバッファアンプ部等に必要な電圧範囲も広くなるため、バッファアンプ等の回路を構成するために高い電源電圧が必要となり、消費電力が大きくなる。
【００１７】
また、従来の経時劣化補正システム用に搭載したバッファアンプやＡＤ変換器は、その消費電力が大きい。有機ＥＬ素子が劣化し、例えば輝度が半減するような場合、図１９に示すような電圧Ｖ３'で動作するため、有機ＥＬ素子の劣化前の電圧Ｖ３に対しての電圧差が大きい。有機ＥＬ素子の劣化を見越してシステムを組んだ場合、図１８におけるバッファアンプやＡＤ変換器に必要な電圧レンジが大きくなるため、低電源電圧で動作せず、バッファアンプやＡＤ変換器で消費する電力が大きくなる。
【００１８】
本発明の第１の目的は、環境温度変動による画素の輝度変化を低電力で実現した表示装置を提供することにある。本発明の第２の目的は、経時変化による劣化で画素間の輝度ばらつきを低電力で実現した表示装置を提供することにある。
【課題を解決するための手段】
【００１９】
第１の目的を達成するため、本発明の表示装置は、複数の画素を配列した表示領域と、該複数の画素を駆動するための表示用走査回路と信号駆動回路、および前記複数の画素のそれぞれを前記信号駆動回路からの表示信号に応じた輝度で発光させるための電流を供給する電源回路を有する表示部と、
環境温度を検出する定電流駆動のモニター素子と、複数の定電流源と、前記モニター素子により前記画素の発光輝度に関わる電圧値を検出して前記電源回路の出力電圧を制御する信号を生成すると共に、前記検出部で検出された電圧値に応じて前記モニター素子の定電流源を切り換える検出部とで構成される。
【００２０】
第２の目的を達成するため、本発明の表示装置は、複数の画素を配列した表示領域と、該複数の画素を駆動するための表示用走査回路と信号駆動回路、および前記複数の画素のそれぞれを前記信号駆動回路からの表示信号に応じた輝度で発光させるための電流を供給する電源回路と、前記画素の電流値を検出する検出制御線と、前記検出制御線に走査信号を印加する検出用走査回路と、前記信号線に対して前記信号駆動回路と前記検知部切換手段を択一的に選択する表示部切換手段とを有する表示部と、
複数の定電流値を出力する電流源と、前記電流源の一つを選択する検知部切換手段と、前記信号駆動回路に接続して前記信号線に供給する表示信号を補正する信号補正制御部を有する検知部とで構成される。
【発明の効果】
【００２１】
上記第１の目的を達成するための構成により、前記検出部で検出された電圧値に応じて前記モニター素子の定電流源を切り換えることで、環境温度の変動に対応する電流値を前記モニター素子に流すための電圧の変動範囲を小さくすることができる。
【００２２】
上記第２の目的を達成するための構成により、前記検出部で検出された電圧値に応じて前記画素に供給する表示信号を補正して、経時変化による発光輝度のばらつきを低減することができる。
【００２３】
なお、画素やモニター素子に用いる表示素子は有機ＥＬ素子に限るものではなく、環境温度の変動、経時劣化で発光輝度の低下がある自発光の表示素子を用いる表示装置にも、本発明は同様に適用できるものである。
【発明を実施するための最良の形態】
【００２４】
以下、本発明の最良の実施形態を実施例により詳細に説明する。
【実施例１】
【００２５】
図１は、本発明による表示装置の実施例１を説明する温度補正システムを搭載した有機ＥＬ表示パネルの構成図である。また、図２は、図１に示した有機ＥＬ表示パネルの検出動作の説明図である。図１において、有機ＥＬ表示パネルの表示部１００の表示領域１５には、複数の画素１０がマトリクス配列されている。各画素１０は、信号線１１とセレクトスイッチ線（走査線）１２の交差部分に形成される。また、各画素１０には、セレクトスイッチ線１２に接続する画素に対して共通に敷設された点灯スイッチ線１３、および共通の信号線１１に接続する画素に共通に接続する電源線１４も設置されている。
【００２６】
信号線１１は信号線駆動回路１６に接続し、表示用走査回路１７に接続するセレクトスイッチ線１２と点灯スイッチ線１３で選択された画素に表示信号を供給する。電源線１４は選択された画素に電源回路１８から点灯電流を画素１０に供給して表示信号に応じた輝度で画素１０を点灯する。信号線駆動回路１６と表示用走査回路１７には、ホストコンピュータ等の図示しない信号源から表示信号とタイミング信号２９が入力する。
【００２７】
電源回路１８には、第１電流源２５、第２電流源２６、切換スイッチ４４、環境温度を検知するモニター素子２０、バッファアンプ２１、アナログ・デジタル・コンバータ（ＡＤ変換器：ＡＤＣ）２２、電源制御部２８、デコーダ制御部２６、デコーダ２７とで構成される検知部２００が設けられている。モニター素子２０が検出した環境温度に基づくＡＤ変換器２２の出力に応じて電源制御部２８が電源回路１８を制御すると共に、ＡＤ変換器２２の出力はデコーダ制御部２６からデコーダ２７に供給され、切換スイッチ４４を切り換えるように構成されている。モニター素子２０には有機ＥＬ素子を用いている。
【００２８】
切換スイッチ４４は、第１スイッチ（以下、高温側スイッチ）ＳＷ１と第２スイッチ（以下、低温側スイッチ）ＳＷ２で構成され、第１電流源２５と第２電流源２６とが互いにオンとオフ、またはオフとオンするごとく切換可能とされている。
【００２９】
まず、切換スイッチ４４は、高温側スイッチＳＷ１がオンで、低温側スイッチＳＷ２はオフとなっている。この状態では、第１電流源２５から電流Ｉ１がモニター素子である有機ＥＬ素子２０に流れる。この時、有機ＥＬ素子２０のアノードの電圧は、図２に示すようにＶ１である。Ｖ１の電圧は、低温になるに従って上昇していき、ＡＤ変換器２２で変換されるデジタル値も大きくなる。
【００３０】
ここで、デジタル値に閾値を設けておき、デコーダ制御部２６はデコーダ２７が電圧Ｖ２にあたるデジタル値以上になったときに、高温側スイッチＳＷ１をオフし、低音側スイッチＳＷ２をオンに切り換えるように制御する。低音側スイッチＳＷ２がオンに切り換わることで第２電流源２６が有機ＥＬ素子２０に供給される。この時の検出電圧は、Ｖ１〜Ｖ２の範囲になる。
【００３１】
実施例１により、環境温度の変動に対応する電流値を前記モニター素子に流すための電圧の変動範囲を小さくすることができる。したがって、Ｖ１とＶ２の電圧レンジを小さくでき、低消費電力動作が可能となる。
【実施例２】
【００３２】
図３は、本発明による表示装置の実施例２を説明する温度補正システムを搭載した有機ＥＬ表示パネルの構成図である。実施例２では、実施例１のように、電流源の切り換え制御にデコーダを用いず、コンパレータ３０を用いた。すなわち、バッファアンプ２１のアナログ出力を直接コンパレータ３０に入力し、予め抵抗分割回路等で設定しておいた所定値との比較を行う。その比較結果を検出側切り換えスイッチ４４の切り換え信号とする。他の構成は実施例１と同様である。コンパレータ３０はアナログ系の回路である。このようなアナログ系の回路を用いても、電流源の切り換え制御が可能となる。
【００３３】
実施例２によっても、環境温度の変動に対応する電流値を前記モニター素子に流すための電圧の変動範囲を小さくすることができる。したがって、Ｖ１とＶ２の電圧レンジを小さくでき、低消費電力動作が可能となる。
【実施例３】
【００３４】
図４は、本発明による表示装置の実施例３を説明する温度補正システムを搭載した有機ＥＬ表示パネルの構成図である。実施例３では、実施例１における検知部２００の電流源にバンドギャップ型定電流源を用いた点に特徴を有する。バンドギャップ型の定電流源３１には、異なる抵抗値をもつ第１の外付抵抗素子Ｒ１と第２の外付抵抗素子Ｒ２の並列回路、および第１の外付抵抗素子Ｒ１と第２の外付抵抗素子Ｒ２を択一的に定電流源３１に接続する検知部切り換えスイッチ４４が設けられている。他の構成は実施例１と同様である。
【００３５】
定電流源３１に外付抵抗素子を備えたバンドギャップ型の定電流源が供給する電流量は、外付け抵抗素子の抵抗値と反比例の関係にあるため、外付け抵抗素子の切り換えのみで電流量を調整できる。したがって、用意する外付けの電流源は１つで良く、外付け部品の点数が少ないという特徴をもつ。
【００３６】
実施例３により、環境温度の変動に対応する電流値を前記モニター素子に流すための電圧の変動範囲を小さくすることができる。したがって、Ｖ１とＶ２の電圧レンジを小さくでき、低消費電力動作が可能となる。
【実施例４】
【００３７】
図５は、本発明による表示装置の実施例４を説明する温度補正システムを搭載した有機ＥＬ表示パネルの構成図である。前記した実施例１乃至３では、環境温度を検知する検知部２００のモニター素子に表示部１００の画素を構成する表示素子と同様の有機ＥＬ素子を用いている。これに対し、実施例４では表示部１００の画素を構成する有機ＥＬ素子を環境温度の検知素子として利用する。そのため、表示部１００の各信号線１１と信号駆動回路の間に表示部切り換えスイッチ４３を挿入すると共に、セレクトスイッチ線１２と平行な方向に設けて画素１０の電圧値を検出する検出制御線３３と、検出制御線３３に走査信号を印加する検出用走査回路３２を設けた。
【００３８】
図５において、画素１０に画像表示のための信号を供給する場合は、表示部切り換えスイッチ４３のＳＷＡ１、ＳＷＡ２、・・・、ＳＷＡｎ側を選択してオンとし、画素の有機ＥＬ素子をモニターする場合は、ＳＷＢ１、ＳＷＢ２、・・・、ＳＷＢｎ側の何れかが選択される。どの信号線の画素の有機ＥＬ素子をモニターするかは、垂直方向は検出用走査回路３２で選択し、水平方向は、スイッチＳＷＢ１、ＳＷＢ２、・・・、ＳＷＢｎのうち、どのスイッチをオンするかで決定する。選択する有機ＥＬ素子は任意である。
【００３９】
実施例４によれば、モニター用の素子を必要とせずに、環境温度の変動に対応する電流値を流すための電圧の変動範囲を小さくすることができる。したがって、前記したＶ１とＶ２の電圧レンジを小さくでき、低消費電力動作が可能となる。
【実施例５】
【００４０】
図６は、本発明による表示装置の実施例５を説明する経年変化による劣化に起因する発光輝度の低下を補正する有機ＥＬ表示パネルの構成図である。また、図７は、図６に示した有機ＥＬ表示パネルの検出動作の説明図である。図５の実施例４では、ＡＤ変換器２２の１出力を電源制御部２８に与えて電源回路１８の電圧を切り換えていた。これに対し、実施例５では、ＡＤ変換器２２の１出力を入力して信号駆動回路１６から信号線１１に供給する表示信号を補正する信号補正回路３４を設けた。なお、図６に、図５と同様の電源制御部２８を設けることもできる。
【００４１】
図６において、従来と同様、検知部切り換えスイッチ４４のスイッチＳＷ３を選択し、表示部切り換えスイッチ４３のスイッチＳＷＡ３乃至ＳＷＡｎを選択することによって、第１電源（高圧側電源）２５から電流Ｉ３を画素１０の有機ＥＬ素子に流す。この時、有機ＥＬ素子のアノードの電圧は、図７に示すように、Ｖ３である。Ｖ３の電圧は、素子劣化に従い上昇していき、ＡＤ変換器２２で変換されるデジタル値も大きくなる。ここで、予めデジタル値に閾値を設けておき、電圧Ｖ４にあたるデジタル値以上になったら、検知部切り換えスイッチ４４のスイッチＳＷ３をオフし、スイッチＳＷ４をオンに切り替わるようなデコーダ２７を搭載しておく。この時の検出電圧は、Ｖ３〜Ｖ４の範囲になる。Ｖ３とＶ４の電圧レンジが小さい。
【００４２】
実施例５によれば、有機ＥＬ素子の経時劣化による発光輝度のばらつきの補正における電流値を流すための電圧の変動範囲を小さくすることができる。したがって、前記したＶ３とＶ４の電圧レンジが小さいため、低消費電力動作が可能となる。
【実施例６】
【００４３】
図８は、本発明による表示装置の実施例６を説明する経年変化による劣化に起因する発光輝度の低下を補正する有機ＥＬ表示パネルの構成図である。実施例６では、図６で説明した実施例５のデコーダ制御部２６とデコーダ２７に代えてコンパレータ３０を設けた。すなわち、バッファアンプ２１のアナログ出力を直接コンパレータ３０に入力し、予め抵抗分割回路等で設定しておいた所定値との比較を行う。その比較結果を検出側切り換えスイッチ４４の切り換え信号とする。他の構成は実施例５と同様である。コンパレータ３０はアナログ系の回路である。このようなアナログ系の回路を用いても、電流源の切り換え制御が可能となる。
【００４４】
実施例６によっても、有機ＥＬ素子の経時劣化による発光輝度のばらつきの補正における電流値を流すための電圧の変動範囲を小さくすることができる。したがって、前記したＶ３とＶ４の電圧レンジが小さいため、低消費電力動作が可能となる。
【実施例７】
【００４５】
図９は、本発明による表示装置の実施例７を説明する経年変化による劣化に起因する発光輝度の低下を補正する有機ＥＬ表示パネルの構成図である。実施例７は、図８の実施例６における第１と第２の電流源２５、２６に代えてバンドギャップ型定電流源３１を用いた点に特徴を有する。バンドギャップ型の定電流源３１には、異なる抵抗値をもつ第１の外付抵抗素子Ｒ１と第２の外付抵抗素子Ｒ２の並列回路、および第１の外付抵抗素子Ｒ１と第２の外付抵抗素子Ｒ２を択一的に定電流源３１に接続するスイッチＳＷ１とＳＷ２からなる検知部切り換えスイッチ４４が設けられている。他の構成は実施例６と同様である。
【００４６】
定電流源３１に外付抵抗素子を備えたバンドギャップ型の定電流源が供給する電流量は、外付け抵抗素子の抵抗値と反比例の関係にあるため、外付け抵抗素子の切り換えのみで電流量を調整できる。したがって、用意する外付けの電流源は１つで良く、外付け部品の点数が少ないという特徴をもつ。
【００４７】
実施例７によっても、有機ＥＬ素子の経時劣化による発光輝度のばらつきの補正における電流値を流すための電圧の変動範囲を小さくすることができる。したがって、前記したＶ３とＶ４の電圧レンジが小さいため、低消費電力動作が可能となる。
【００４８】
次に、本発明の表示装置における表領域に設けられる画素構成について説明する。各図における前記各実施例での符号と同じ符号は同一機能部分に対応する。図１０は、図１、図３、図４の実施例における画素回路に好適な第一の構成例を説明する回路図である。図１０において、点線内が１画素を示す。１画素は信号線１１とセレクトスイッチ線１２とにつながるセレクトスイッチ３６、表示信号を保持する保持容量３７、保持容量３７の保持された表示信号の大きさに応じて有機ＥＬ素子（ＯＬＥＤ素子）３５を駆動するＯＬＥＤ駆動スイッチ３８、ＯＬＥＤ素子３５の点灯タイミングで電源線１４からの点灯電流をＯＬＥＤ駆動スイッチ３８を通してＯＬＥＤ素子３５に供給する点灯スイッチ３９で構成される。
【００４９】
図１１は、図１、図３、図４の実施例における画素回路に好適な第二の構成例を説明する回路図である。図１１において、点線内が１画素を示す。図１１の画素回路は、セレクトスイッチ３６と保持容量３７の配置が図１０と異なる点を除いて、図１０とほぼ同じ構成である。
【００５０】
図１２は、図５、図６、図８、図９の実施例における画素回路に好適な第三の構成例を説明する回路図である。図１２において、点線内が１画素を示す。図１２の画素回路は、図１０の回路に検出線３３とこの検出線３３につながる検出スイッチ４０を追加したものである。
【００５１】
図１３は、図５、図６、図８、図９の実施例における画素回路に好適な第四の構成例を説明する回路図である。図１３において、点線内が１画素を示す。図１３の画素回路は、図１１の回路に検出線３３とこの検出線３３につながる検出スイッチ４０を追加したものである。
【００５２】
図１４と図１５は、本発明の表示装置を搭載した電子機器の例を示す図である。図１８の（ａ）はモバイル用電子機器５０、いわゆる携帯電話機であり、その表示部５１に本発明の表示装置が搭載されている。図１８の（ｂ）はテレビ受信機６０であり、その表示部６１に本発明の表示装置が搭載されている。
【００５３】
図１９の（ａ）はデジタル携帯端末７０、いわゆるＰＤＡであり、その表示部７１に本発明の表示装置が搭載されている。この表示部７１にはタッチパネルが実装されている。符号７２は画面入力用スティックを示す。図１９の（ｂ）はビデオカメラ８０であり、そのモニター部８１とファインダー部８２に、それぞれ本発明の表示装置が搭載されている。なお、本発明の表示装置は、これらの他に様々な用途が考えられることは言うまでもない。
【図面の簡単な説明】
【００５４】
【図１】本発明による表示装置の実施例１を説明する温度補正システムを搭載した有機ＥＬ表示パネルの構成図である。
【図２】図１に示した有機ＥＬ表示パネルの検出動作の説明図である。
【図３】本発明による表示装置の実施例２を説明する温度補正システムを搭載した有機ＥＬ表示パネルの構成図である。
【図４】本発明による表示装置の実施例３を説明する温度補正システムを搭載した有機ＥＬ表示パネルの構成図である。
【図５】本発明による表示装置の実施例４を説明する温度補正システムを搭載した有機ＥＬ表示パネルの構成図である。
【図６】本発明による表示装置の実施例５を説明する経年変化による劣化に起因する発光輝度の低下を補正する有機ＥＬ表示パネルの構成図である。
【図７】図６に示した有機ＥＬ表示パネルの検出動作の説明図である。
【図８】本発明による表示装置の実施例６を説明する経年変化による劣化に起因する発光輝度の低下を補正する有機ＥＬ表示パネルの構成図である。
【図９】本発明による表示装置の実施例７を説明する経年変化による劣化に起因する発光輝度の低下を補正する有機ＥＬ表示パネルの構成図である。
【図１０】図１、図３、図４の実施例における画素回路に好適な第一の構成例を説明する回路図である。
【図１１】図１、図３、図４の実施例における画素回路に好適な第二の構成例を説明する回路図である。
【図１２】図５、図６、図８、図９の実施例における画素回路に好適な第三の構成例を説明する回路図である。
【図１３】図５、図６、図８、図９の実施例における画素回路に好適な第四の構成例を説明する回路図である。
【図１４】本発明の表示装置を搭載した電子機器の例を示す図である。
【図１５】本発明の表示装置を搭載した電子機器の例を示す図である。
【図１６】従来の温度補正システムを搭載した表示装置を構成する有機ＥＬ表示パネルの第１の構成例を説明する回路図である。
【図１７】図１６に示した従来の有機ＥＬ表示パネルの検出動作点の説明図である。
【図１８】従来の温度補正システムを搭載した表示装置を構成する有機ＥＬ表示パネルの第２の構成例を説明する回路図である。
【図１９】図１８に示した従来の有機ＥＬ表示パネルの検出動作の説明図である。
【符号の説明】
【００５５】
１００・・・有機ＥＬ表示パネル、１００・・・表示部、２００・・・検知部、１０・・・画素、１１・・・信号線、１２・・・セレクトスイッチ線（走査線）、１３・・・点灯スイッチ線、１４・・・電源線、１５・・・表示領域、１６・・・信号線駆動回路、１７・・・表示用走査回路、１８・・・電源回路、２０・・・モニター素子、２１・・・バッファアンプ、２２・・・アナログ・デジタル・コンバータ（ＡＤ変換器：ＡＤＣ）、２５・・・第１電流源、２６・・・第２電流源、２７・・・デコーダ、２８・・・電源制御部、２９・・・表示信号とタイミング信号、４３・・・表示部切り換えスイッチ、４４・・・検知部切り換えスイッチ。
【図１】
0005547834.tif 000002
【図２】
0005547834.tif 000003
【図３】
0005547834.tif 000004
【図４】
0005547834.tif 000005
【図５】
0005547834.tif 000006
【図６】
0005547834.tif 000007
【図７】
0005547834.tif 000008
【図８】
0005547834.tif 000009
【図９】
0005547834.tif 000010
【図１０】
0005547834.tif 000011
【図１１】
0005547834.tif 000012
【図１２】
0005547834.tif 000013
【図１３】
0005547834.tif 000014
【図１４】
0005547834.tif 000015
【図１５】
0005547834.tif 000016
【図１６】
0005547834.tif 000017
【図１７】
0005547834.tif 000018
【図１８】
0005547834.tif 000019
【図１９】
0005547834.tif 000020